(57)【要約】【課題】可撓性を有する円盤状の情報記録ディスクがケース内に収容され、かつケースのディスクと対向する内面に、ディスクの表面をクリーニングするためのライナが固定されてなるディスクカートリッジにおいて、耐衝撃性を向上させる。【解決手段】ディスクカートリッジが受けた衝撃によりディスク３がライナ１０に当接したときにライナ１０が撓み得るように、ライナ１０をケース２内面から離れた状態で支持する。【選択図】          図２
2004152395.tif 000002
【特許請求の範囲】
【請求項１】
可撓性を有する円盤状の情報記録ディスクがケース内に収容され、かつ該ケースの前記ディスクと対向する内面に、または前記ケースと前記ディスクとの間に介挿されたシャッタ部材の前記ディスクと対向する内面に、前記ディスクの表面をクリーニングするためのライナが固定されてなるディスクカートリッジにおいて、
該ディスクカートリッジが受けた衝撃により前記ディスクが前記ライナに当接したときに該ライナが撓み得るように、該ライナが前記ケース内面または前記シャッタ部材内面から離れた状態で支持されていることを特徴とするディスクカートリッジ。
【請求項２】
前記ライナの支持が、前記ケース内面または前記シャッタ部材内面に形成された突起部により行なわれることを特徴とする請求項１記載のディスクカートリッジ。
【請求項３】
前記ライナが、前記ディスクの剛性よりも低い剛性を有することを特徴とする請求項１または２記載のディスクカートリッジ。
【発明の詳細な説明】
【０００１】
【発明の属する技術分野】
本発明は、ディスクカートリッジに関し、特に、可撓性を有する円盤状の情報記録ディスクをケース内に収容したディスクカートリッジに関するものである。
【０００２】
【従来の技術】
従来より最も広く使用されているディスクカートリッジは、３．５インチ（約８９ｍｍ）フロッピー（Ｒ）ディスクカートリッジである。このディスクカートリッジ１は、図３（ａ）の概略的断面図に示すように、四角形の扁平なプラスチック製ケース２内に円盤状の可撓性ディスク３を収容し、このディスク３の中心に、中心孔５を備えたセンタコア４が固着されている。ケース２のディスク３と対向する内面には、ディスク３の表面をクリーニングするためのライナ１０が貼られている。
【０００３】
また、デジタルカメラ等のモバイル機器には、特許文献１に記載されているような、「ｃｌｉｋ！（Ｒ）」と呼ばれる小型のディスクカートリッジが記録媒体として用いられている。このディスクカートリッジ１１には、図３（ｂ）に概略的断面図を示すように、幅５０ｍｍ、奥行き５５ｍｍ、厚さ１．９５ｍｍの扁平な金属製ケース１２内に、４０ＭＢの記憶容量を有する直径１．８インチ（４５．７ｍｍ）の可撓性ディスク１３が収容されている。ディスク１３の中心部には、中心孔１５を備えたセンタコア１４が固着されている。
【０００４】
なお、図３（ａ）に示すディスクカートリッジ１においては、ドライブ装置の記録再生ヘッドをディスクにアクセスさせるための開口（図示せず）がケース２に形成されるとともに、この開口を開閉するための金属製スライド式シャッタ部材（図示せず）がケース２の外側に設けられているが、図３（ｂ）に示すディスクカートリッジ１１の場合、シャッタ部材としての金属製ロータリーシャッタ１６がケース１２の内側に回転可能に設けられ、このロータリーシャッタ１６のディスク１３と対向する内面に、ディスク１３の表面をクリーニングするためのライナ２０が貼られている。
【０００５】
また、上述した実際の寸法から明らかなように、図３（ｂ）に示すディスクカートリッジ１１は、図３（ａ）に示すディスクカートリッジ１よりも大分小型であるが、理解を容易にするために、図には略同一の大きさに描いてある。さらに、両図とも、厚さ寸法を拡大してある。
【０００６】
【特許文献１】米国特許第６２５６１６８号公報
【０００７】
【発明が解決しようとする課題】
上述のように、ディスクカートリッジ１または１１においては、ディスク３または１３の表面をクリーニングするためのライナ１０または２０が、ケース２のディスク３と対向する内面、またはロータリーシャッタ１６のディスク１３と対向する内面の略全面に貼られている。
【０００８】
ところが、ディスクカートリッジ１または１１の保管時に、落下、あるいは異物との衝突によって、ディスクカートリッジ１または１１に大きな衝撃が加わった場合、ディスク３または１３とライナ１０または２０が擦れ合い、これによってディスク３または１３に傷が生じて、カートリッジ特性を劣化させる要因となっている。特に、ディスクカートリッジ１１においては、ライナ２０が金属製のロータリーシャッタ１６の内面に貼られているため、ライナ２０に接触した場合のディスク１３が受ける衝撃が大きく、傷が生じる虞れが大きいものであった。
【０００９】
そこで従来は、ディスク３とライナ１０との間、またはディスク１３とライナ２０との間のクリアランスの確保、およびライナ１０または２０の表面の弾力性の向上等によって対応してきたが、カートリッジの薄型化によるスペースの減少およびコストアップ等の問題もあって、十分な対策が講じられていなかった。
【００１０】
上述の事情に鑑み、本発明は、耐衝撃性を向上させたディスクカートリッジを提供することを目的とするものである。
【００１１】
【課題を解決するための手段】
本発明によるディスクカートリッジは、可撓性を有する円盤状の情報記録ディスクがケース内に収容され、かつこのケースの上記ディスクと対向する内面に、または上記ケースと上記ディスクとの間に介挿されたシャッタ部材の上記ディスクと対向する内面に、上記ディスクの表面をクリーニングするためのライナが固定されてなるディスクカートリッジにおいて、
このディスクカートリッジが受けた衝撃により上記ディスクが上記ライナに当接したときにこのライナが撓み得るように、ライナがケース内面またはシャッタ部材内面から離れた状態で支持されていることを特徴とするものである。
【００１２】
上記ライナの支持は、ケース内面またはシャッタ部材内面に例えばディスクと同心的に形成した内外２条の環状突起部に、ライナの内周縁部および外周縁部を固着することによって行なうことができる。
【００１３】
上記ライナは、厚さ４０〜８０μｍ程度の不織布で形成されることが好ましいが、ディスクの剛性よりも低い剛性を有することがさらに望ましい。
【００１４】
【発明の効果】
本発明によれば、ディスクがライナに当接したときにこのライナが撓み得るように、ライナがケース内面またはシャッタ部材内面から離れた状態で支持されているので、撓まされたライナによって衝撃を吸収され、ディスクカートリッジの耐衝撃性を向上させることができる。
【００１５】
また、ケース内面またはシャッタ部材内面に形成した突起部でライナを支持するようにした場合、この突起部の高さを変更することによって、ライナによるディスク表面のクリーニング能力を容易に調整することができる効果もある。
【００１６】
さらに、ライナが、ディスクの剛性よりも低い剛性を有するようにした場合、ライナによる緩衝機能をより向上させることができる。
【００１７】
【発明の実施の形態】
以下、図面を参照して本発明の実施の形態を説明する。
【００１８】
図１（ａ），（ｂ）は、本発明によるディスクカートリッジの第１および第２の実施の形態を、図３（ａ），（ｂ）にそれぞれに対応させて示す概略的断面図である。
【００１９】
図１（ａ）に示すディスクカートリッジ１は、四角形の扁平なプラスチック製ケース２内に円盤状の可撓性ディスク３を収容し、このディスク３の中心に、中心孔５を備えたセンタコア４が固着されている。ケース２のディスク３と対向する内面には、内外２条の環状突起部７，８がディスク３と同心的に形成されている。そして内側の環状突起部７は、センタコア４のフランジ４ａの外縁よりも若干外側に位置決めされ、外側の環状突起部８は、ディスク３の外縁よりも外方に位置決めされている。ディスク３の表面をクリーニングするためのライナ１０は、その内縁部を環状突起部７に固着され、かつ外縁部を環状突起部８に固着されて、ケース２の内面から離れて支持されている。
【００２０】
また、図１（ｂ）に示すディスクカートリッジ１１は、扁平な金属製ケース１２内に円盤状の可撓性ディスク１３を収容し、このディスク１３の中心に、中心孔１５を備えたセンタコア１４が固着されている。ケース１２の内側には金属製ロータリーシャッタ１６が回転可能に設けられている。ロータリーシャッタ１６のディスク３と対向する内面には、内外２条の環状突起部１７，１８がディスク１３と同心的に形成されている。そして外側の環状突起部１８は、ディスク１３の外縁よりも外方に位置決めされている。ディスク１３の表面をクリーニングするためのライナ２０は、その内縁部を環状突起部１７に固着され、かつ外縁部を環状突起部１８に固着されて、ロータリーシャッタ１６の内面から離れて支持されている。
【００２１】
図２（ａ）は、図１（ａ）のディスクカートリッジ１において、ライナ１０の外縁部が、ケース２に形成された突起部８に支持されてディスク３と対向している状態を示す要部の拡大断面図である。この状態で、落下等によってディスクカートリッジ１に大きな衝撃が加えられた場合、図２（ｂ）に示すように、ディスク３がライナ１０に当接するが、ライナ１０が撓むことによって、衝撃が吸収される。
【００２２】
上記ライナ１０は、アクリル系材料からなる不織布（例えば旭化成社製のＳＨＡＬＥＲＩＡ）またはコットン系材料からなる不織布（例えば旭化成社製のＢｅｍｉｌｉｅｓ）、あるいはポリエチレン系材料（共信社製の燦マップ）で形成されるのが好ましい。
【００２３】
また、ライナ１０の厚さは４０〜８０μｍ程度が好ましく、さらにライナ１０の剛性は、ディスク３の剛性の６０％以下程度であることが好ましい。
【００２４】
以上の説明で明らかなように、本発明の実施の形態によれば、ディスク３または１３がライナ１０または２０に当接したときにこのライナ１０または２０が撓み得るように、ライナ１０または２０がケース２の内面またはロータリーシャッタ１６の内面から離れた状態で支持されているので、撓まされたライナ１０または２０によって衝撃を吸収され、ディスクカートリッジ１または１１の耐衝撃性を向上させることができる。
【００２５】
また、ケース２内面に形成した突起部７，８、またはロータリーシャッタ１６の内面に形成した突起部１７，１８によりライナ１０または２０を支持しているので、これら突起部７，８または１７，１８の高さを変更することによって、ライナ１０または２０によるディスク３または１３の表面のクリーニング能力を容易に調整することができる効果もある。
【００２６】
さらに、ライナ１０または２０が、ディスク３または１３の剛性よりも低い剛性を有するようにすることにより、ライナ１０または２０による緩衝機能をより向上させることができる。
【図面の簡単な説明】
【図１】図１（ａ），（ｂ）は、本発明によるディスクカートリッジの第１および第２の実施の形態をそれぞれ示す概略的断面図
【図２】本発明の作用に説明に供する図１（ａ）のディスクカートリッジの要部の拡大断面図
【図３】図３（ａ），（ｂ）は、従来のディスクカートリッジの概略的断面図
【符号の説明】
１，１１    ディスクカートリッジ
２，１２    ケース
３，１３    ディスク
４，１４    センタコア
７，８，１７，１８    突起部
１０，２０    ライナ
１６    ロータリーシャッタ
【図１】
2004152395.tif 000003
【図２】
2004152395.tif 000004
【図３】
2004152395.tif 000005